(57)【要約】 【課題】  表示手段による画像の表示姿勢に対応させて、電子装置が備える機能を達成可能に役割を割当てる電子装置、および電子装置を備える携帯端末装置を提供する提供する。【解決手段】  検出部４によって選択される表示姿勢で画像を表示するように、表示部２が制御部３によって制御される。さらに前記選択される表示姿勢に対応させて機能を達成可能に、各役割分端部の役割を割当てるように、機能達成手段８が制御部３によって制御される。したがって選択される表示姿勢に対応させて、機能達成手段８が機能を達成することができる。これによって操作者は、選択した表示姿勢に対応させて、情報機器１の姿勢を変更することなく、機能達成手段８を違和感なく用いることができる。操作者が情報機器１を操作する場合、表示部２の表示形態を意識して操作をする負担を軽減することができる。【選択図】      図１
2005284923.tif 000002
【特許請求の範囲】
【請求項１】
画像を複数の表示姿勢で表示可能である画像表示手段と、
予め定める機能を達成するための役割が分担されて個別に割当てられる役割分担部を有し、各役割分担部の動作によって、前記予め定める機能を達成する機能達成手段と、
画像表示手段による画像の表示姿勢を選択する姿勢選択手段と、
姿勢選択手段によって選択される表示姿勢で画像を表示するように、画像表示手段を制御するとともに、前記選択される表示姿勢に対応させて機能を達成可能に、各役割分端部の役割を割当てるように、機能達成手段を制御する制御手段とを含むことを特徴とする電子装置。
【請求項２】
電子装置に情報を入力するための入力装置を、接続解除可能に接続可能であることを特徴とする請求項１記載の電子装置。
【請求項３】
機能達成手段は、情報を入力するための複数の操作部を備え、各操作部に操作によって入力される入力情報が個別に割当てられる入力手段を有し、
制御手段は、選択される表示姿勢に対応させて、各操作部に入力情報が割当てられるように、入力手段を制御することを特徴とする請求項１または２記載の電子装置。
【請求項４】
機能達成手段は、他の電子装置と通信可能に接続するための複数の接続部を有し、各接続部に接続対象となる電子装置が割当てられる接続手段を有し、
制御手段は、選択される表示姿勢に対応させて、各接続部に接続対象の電子装置が割当てられるように、接続手段を制御することを特徴とする請求項１〜３のいずれか１つに記載の電子装置。
【請求項５】
機能達成手段は、音声を出力するための複数の音声出力部を備え、各音声出力部に出力する音声が個別に割当てられる音声出力手段を有し、
制御手段は、選択される表示姿勢に対応させて、各音声出力部に出力される音声が割当てられるように、音声出力手段を制御することを特徴とする請求項１〜４のいずれか１つに記載の電子装置。
【請求項６】
画像表示手段による表示姿勢を表す姿勢情報および機能達成手段の各役割分担部に割当てられる役割を表す割当て情報のうち、少なくといずれか一方の情報を報知する報知手段を含むことを特徴とする請求項１〜５のいずれか１つに記載の電子装置。
【請求項７】
入力手段の各操作部の操作によって入力される入力情報を表す割当て情報を報知する報知手段を含み、
報知手段は、各操作部に対応付けて設けられる複数の役割表示部を有し、
役割表示部は、対応付けられる操作部に割当てられている入力情報を、表示形態によって表示することを特徴とする請求項３記載の電子装置。
【請求項８】
請求項１〜７のいずれか１つに記載の電子装置によって実現されることを特徴とする携帯端末装置。
【発明の詳細な説明】
【技術分野】
【０００１】
本発明は、画像を複数の表示姿勢で表示する電子装置および携帯端末装置に関する。
【背景技術】
【０００２】
携帯情報機器は、たとえば携帯電話装置および情報携帯端末（Personal Digital
Assistants：略称ＰＤＡ）のように、一層の小形化および軽量化が進んでいる。したがって操作者は、携帯情報機器を気軽に持ち歩いて操作することができる。このような携帯情報機器を操作者が操作する場合、操作者に対する携帯情報機器の方向を予め定める方向に配置する必要がある。携帯情報機器の小形化および軽量化が進むにつれて、携帯情報機器を予め定める方向に配置することは、操作者の負担となり不便であるとういう問題がある。
【０００３】
このような装置の方向に関する問題を解決する第１の従来の技術は、特許文献１に記載されている。特許文献１に記載されている電話機は、送受話器の方向を検出する重力センサを備える。送受話器の方向が重力センサによって検出されるので、検出される鉛直方向に基づいて、送受話器の鉛直方向一端部を受話器として機能するように制御し、鉛直方向他端部を送話器として機能するように制御する。また送受話器が備える操作キー表示用の表示器の表示方向は、検出される鉛直方向に基づいて変更するように制御される。これによって操作者は、送受話器の方向を意識することなく用いることができる。
【０００４】
操作者が携帯情報機器の画像の表示方向を変更できる技術は、携帯情報機器をより便利に用いる上で有効である。これによって操作者は、携帯情報機器を様々な方向で用いることができる。また向かい合った他の操作者に携帯情報機器の画像を見せたいとき、携帯情報機器の方向を反転させることなく、画像の表示方向を変更することによって、他の操作者に画像を見せることができる。また強い光源などの影響で画面が見辛いとき、見易い向きから画像をより簡単に見ることができる。
【０００５】
他の従来の技術は、特許文献２に記載されている。特許文献２の携帯情報端末の構造は、折り畳みタイプであり、携帯情報端末の開閉姿勢に応じて表示部の表示方向を変更するように制御される。このように携帯情報機器の持つ液晶ディスプレイ（ＬＣＤ）などの表示装置が、携帯情報機器の使用形態に連動して表示方向を切り替える。したがって複数の使用形態を有する携帯情報機器において、操作者が携帯情報機器を使用するときの負担を減らすことができる。さらに他の従来の技術として、特許文献２の類似の技術が、特許文献３に記載されている。
【０００６】
【特許文献１】特開平４−２２２４４号公報
【特許文献２】特開２００３−１７４４９５号公報
【特許文献３】特開２００２−１４１９８４号公報
【発明の開示】
【発明が解決しようとする課題】
【０００７】
従来の技術では、携帯情報機器は、表示装置の表示方向を自動または手動で画面を回転および反転させ、表示方向の変更に伴って入力装置の機能も変更することは可能でる。しかしながら携帯情報機器が搭載するその他の各種装置はそのままであった。従来の技術では、たとえば左右ステレオ音声を出力する２種類のスピーカを備える携帯情報機器の向きを１８０度角変位させる場合、ステレオ音声は操作者に対して左右の方向を逆に出力しており、操作者に違和感を与える。
【０００８】
したがって本発明の目的は、表示手段による画像の表示姿勢に対応させて、電子装置が備える機能を達成可能に役割を割当てる電子装置、および電子装置を備える携帯端末装置を提供することである。
【課題を解決するための手段】
【０００９】
本発明は、画像を複数の表示姿勢で表示可能である画像表示手段と、
予め定める機能を達成するための役割が分担されて個別に割当てられる役割分担部を有し、各役割分担部の動作によって、前記予め定める機能を達成する機能達成手段と、
画像表示手段による画像の表示姿勢を選択する姿勢選択手段と、
姿勢選択手段によって選択される表示姿勢で画像を表示するように、画像表示手段を制御するとともに、前記選択される表示姿勢に対応させて機能を達成可能に、各役割分端部の役割を割当てるように、機能達成手段を制御する制御手段とを含むことを特徴とする電子装置である。
【００１０】
本発明に従えば、姿勢選択手段によって選択される表示姿勢で画像を表示するように、画像表示手段が制御手段によって制御される。さらに前記選択される表示姿勢に対応させて機能を達成可能に、各役割分端部の役割を割当てるように、機能達成手段が制御手段によって制御される。したがって選択される表示姿勢に対応させて、機能達成手段が機能を達成することができる。これによって操作者は、選択した表示姿勢に対応させて、電子装置の姿勢を変更することなく、機能達成手段を違和感なく用いることができる。したがって従来の技術では表示姿勢に対応していない機能に関しても、対応することができる。これによって電子装置の利便性が向上する。画像表示手段によって表示される画像は、文字、映像および図形を含む。
【００１１】
また本発明は、電子装置に情報を入力するための入力装置を、接続解除可能に接続可能であることを特徴とする。
【００１２】
本発明に従えば、電子装置に情報を入力するための入力装置を、接続解除可能に接続可能である。したがって入力装置は、選択される画像の表示姿勢に対応させて、入力装置の機能を達成するように、制御手段によって制御される。これによって操作者は、表示姿勢に応して入力装置を違和感なく操作することができる。
【００１３】
さらに本発明は、機能達成手段は、情報を入力するための複数の操作部を備え、各操作部に操作によって入力される入力情報が個別に割当てられる入力手段を有し、
制御手段は、選択される表示姿勢に対応させて、各操作部に入力情報が割当てられるように、入力手段を制御することを特徴とする。
【００１４】
本発明に従えば、入力手段は、選択される表示姿勢に対応させて各操作部に入力情報が割当てられるように、制御手段によって制御される。したがって操作者は、表示姿勢を考慮して入力手段を操作しなくてもよいので、入力手段を違和感なく操作することができる。
【００１５】
さらに本発明は、機能達成手段は、他の電子装置と通信可能に接続するための複数の接続部を有し、各接続部に接続対象となる電子装置が割当てられる接続手段を有し、
制御手段は、選択される表示姿勢に対応させて、各接続部に接続対象の電子装置が割当てられるように、接続手段を制御することを特徴とする。
【００１６】
本発明に従えば、接続手段は、選択される表示姿勢に対応させて、各接続部に接続対象の電子装置が割当てられるように、制御手段によって制御される。したがって操作者は、選択される表示姿勢に対応して、接続対象の電子装置を接続して、接続対象の電子装置を用いることができる。これによって操作者は、表示姿勢に対して違和感なく、接続対象の電子装置を接続することができる。
【００１７】
さらに本発明は、機能達成手段は、音声を出力するための複数の音声出力部を備え、各音声出力部に出力する音声が個別に割当てられる音声出力手段を有し、
制御手段は、選択される表示姿勢に対応させて、各音声出力部に出力される音声が割当てられるように、音声出力手段を制御することを特徴とする。
【００１８】
本発明に従えば、音声出力手段は、選択される表示姿勢に対応させて、各音声出力部に出力される音声が割当てられるように、制御手段によって制御される。したがって操作者は、選択される表示姿勢に対応して出力される音声を聞くことができる。これによって操作者は、表示姿勢に対応して違和感なく、出力される音声を聞くことができる。
【００１９】
さらに本発明は、画像表示手段による表示姿勢を表す姿勢情報および機能達成手段の各役割分担部に割当てられる役割を表す割当て情報のうち、少なくといずれか一方の情報を報知する報知手段を含むことを特徴とする。
【００２０】
本発明に従えば、報知手段は、姿勢情報および割当て情報のうち少なくといずれか一方の情報を報知する。操作者は、姿勢情報が報知されることによって、表示姿勢を確認することができる。また操作者は、割当て情報が報知されることによって、各役割分担部に割当てられる役割が変更しても、割当てられる役割を確認することができる。
【００２１】
さらに本発明は、入力手段の各操作部の操作によって入力される入力情報を表す割当て情報を報知する報知手段を含み、
報知手段は、各操作部に対応付けて設けられる複数の役割表示部を有し、
役割表示部は、対応付けられる操作部に割当てられている入力情報を、表示形態によって表示することを特徴とする。
【００２２】
本発明に従えば、役割表示部は、対応付けられる操作部に割当てられている入力情報を、表示形態によって表示する。したがって選択される表示姿勢によって、各操作部に割当てられる入力情報が変更されても、操作者は割当てられる入力情報を確認することができ、操作性を向上することができる。
【００２３】
さらに本発明は、前記電子装置によって実現されることを特徴とする。
本発明に従えば、前述の電子装置の効果を有する携帯端末装置を実現することができる。
【発明の効果】
【００２４】
本発明によれば、操作者は、選択した表示姿勢に対応させて、電子装置の姿勢を変更することなく、機能達成手段を違和感なく用いることができる。したがって従来の技術では表示姿勢に対応していない機能に関しても、対応することができる。操作者が電子装置を操作する場合、表示手段の表示形態を意識して操作をする負担を軽減することができる。これによって電子装置の利便性が向上する。
【００２５】
また本発明によれば、操作者は、表示姿勢を意識して、入力装置を操作する負担を軽減することができる。
【００２６】
さらに本発明によれば、操作者は、表示姿勢を考慮して入力手段を操作しなくてもよいので、入力手段を違和感なく操作することができる。
【００２７】
さらに本発明によれば、操作者は、選択される表示姿勢に対応して、接続対象の電子装置を接続して、接続対象の電子装置を用いることができる。これによって操作者は、表示姿勢に対して違和感なく、接続対象の電子装置を接続することができる。したがって操作者が電子装置を他の電子装置と接続して用いる場合、物理的に使用の妨げとなるケーブルおよび赤外線端子のような指向性の強い無線装置を用いる場合であっても、電子装置の配置を考慮する負担を軽減することができる。
【００２８】
さらに本発明によれば、操作者は、選択される表示姿勢に対応して出力される音声を聞くことができる。これによって操作者は、表示姿勢に対応して違和感なく、出力される音声を聞くことができる。
【００２９】
さらに本発明によれば、操作者は、姿勢情報が報知されることによって、表示姿勢を確認することができる。また操作者は、割当て情報が報知されることによって、各役割分担部に割当てられる役割が変更しても、割当てられる役割を確認することができる。
【００３０】
さらに本発明によれば、選択される表示姿勢によって、各操作部に割当てられる入力情報が変更されても、操作者は割当てられる入力情報を確認することができる。これによって操作性を向上することができる。
【００３１】
さらに本発明によれば、前述の電子装置の効果を有する携帯端末装置を実現することができる。
【発明を実施するための最良の形態】
【００３２】
図１は、本発明の実施の一形態である情報機器１の電気的構成を示すブロック図である。情報機器１は、電子装置であって、たとえば操作者が携帯して用いることが容易な携帯端末装置である。情報機器１は、表示部２、制御部３、検出部４、記憶部５、電源部６、報知部７および機能達成手段８を含んで構成される。
【００３３】
表示部２は、画像表示手段であって、画像を複数の表示姿勢で表示可能である。表示部２は、表示方向を変更して表示可能である。表示部２は、制御部３から与えられる情報を画像情報に変換し、画像情報を表示する。表示される画像情報は、たとえば外部機器９から与えられた画像情報である。表示部２は、たとえばカラー表示可能な液晶ディスプレイ（Liquid Crystal Display：略称ＬＣＤ）によって実現される。
【００３４】
機能達成手段８は、予め定める機能を達成するための役割が分担されて個別に割当てられる役割分担部を有する。機能達成手段８は、各役割分担部の動作によって、前記予め定める機能を達成する。機能達成手段８は、本実施の形態では、入力部１０、通信部１１およびスピーカ１２によって実現される。
【００３５】
入力部１０は、入力手段であって、情報を入力するための複数、本実施の形態では４つの役割分担部である操作部１３を備える。各操作部１３は、操作によって入力される入力情報が個別に割当てられる。各操作部１３は、操作者に操作され、割当てられる入力情報、たとえば各部の動作の指示が入力される。操作部１３は、たとえば押下スイッチによって実現される。入力部１０は、各操作部１３が操作されて入力された入力情報を制御部３に与える。また入力部１０は、報知手段であって、各操作部１３に対応付けて設けられる複数の役割表示部１４を有する。各役割表示部１４は、対応付けられる操作部１３に割当てられている入力情報を、表示形態によって表示する。
【００３６】
通信部１１は、接続手段であって、外部機器９と通信可能に接続するための複数、本実施の形態では２つの役割分担部である接続部１５を有する。外部機器９は、接続対象となる他の電子装置である。各接続部１５は、それぞれ外部機器９が割当てられる。各接続部１５は、外部機器９、たとえばパーソナル・コンピュータ（Personal Computer：略称ＰＣ）１６および入力装置１７と通信して、外部機器９と情報を送受信する。入力装置１７は、情報機器１に情報を入力するため装置であって、情報機器１に接続解除可能に接続可能である。入力装置１７は、たとえばポインティングデバイスによって実現される。
【００３７】
スピーカ１２は、音声出力手段であって、音声を出力するための複数、本実施の形態では２つの役割分担部である音声出力部１８を備える。各音声出力部１８は、出力する音声が個別に割当てられる。各音声出力部１８は、たとえば左音声と右音声とを出力する。スピーカ１２は、制御部３から与えられる音声情報を外部に出力する。
【００３８】
検出部４は、姿勢選択手段であって、表示部２による画像の表示姿勢を選択する。検出部４は、情報機器１の配置方向を検出する。検出部４は、たとえば重力センサによって実現され、鉛直方向Ｇに対する情報機器１の向きを検出する。検出部４は、検出された検出情報を制御部３に与える。
【００３９】
記憶部５は、たとえばフラッシュメモリなどの半導体装置から成り、制御部３の制御に用いられるプログラムなどを記憶する。記憶部５は、制御部３から与えられる情報、たとえば画像情報および音声情報を記憶する。
【００４０】
報知部７は、報知手段であって、表示部２による表示姿勢を表す姿勢情報および機能達成手段８の各役割分担部に割当てられる役割を表す割当て情報のうち、少なくといずれか一方の情報を報知する。報知部７は、制御部３から与えられる情報を報知する。また報知部７は、入力部１０の各操作部１３の操作によって入力される入力情報を表す割当て情報を報知する。報知部７は、たとえばＬＥＤによって実現され、ＬＥＤを発光させることによって、たとえば姿勢情報および割当て情報を報知する。電源部６は、情報機器１を動作させるための電力を制御部３に供給する。
【００４１】
制御部３は、制御手段であって、記憶部５に記憶されるプログラムとあいまって、与えられる指令情報などに基づいて、情報機器１全体の動作を決定する。動作が決定すると、制御部３は、各部に対して指令情報を与える。制御部３は、たとえばマイクロコンピュータなどの処理回路によって実現される。
【００４２】
制御部３は、検出部４によって選択される表示姿勢で画像を表示するように、表示部２を制御するとともに、前記選択される表示姿勢に対応させて機能を達成可能に、各役割分端部の役割を割当てるように、機能達成手段８を制御する。
【００４３】
制御部３は、選択される表示姿勢に対応させて、各操作部１３に入力情報が割当てられるように、入力部１０を制御する。また制御部３は、選択される表示姿勢に対応させて、各接続部１５に外部機器９が割当てられるように、通信部１１を制御する。制御部３は、選択される表示姿勢に対応させて、各音声出力部１８に出力される音声が割当てられるように、スピーカ１２を制御する。
【００４４】
図２は、制御部３の処理手順を示すフローチャートである。制御部３は、本フローチャートに示す処理を短時間に繰返す。ステップａ１では、制御部３は、表示部２による画像の表示方向が、たとえば操作者によって予め定める方向に設定されているか、否かを判断する。換言すると、表示部２による画像の表示姿勢を、選択可能に設定されているか、否かを判断する。制御部３は、記憶部５に記憶される設定情報を読出し、表示方向の設定を判断し、予め定める方向に固定するように設定されていれば、ステップａ７に移り、設定されていなければ、ステップａ２に移る。
【００４５】
ステップａ２では、制御部３は、検出部４から与えられる検出情報に基づいて、情報機器１の方向を検出し、ステップａ３に移る。ステップａ３では、制御部３は、情報機器１の方向と、画像の表示方向とが一致しているか否かを判断し、一致している場合、ステップａ７に移り、一致していない場合、ステップａ４に移る。
【００４６】
ステップａ４では、制御部３は、情報機器１の方向と画像の表示方向とが一致するように表示部２を制御し、ステップａ５に移る。表示部２は、制御部３から与えられる指令に基づいて、表示姿勢を選択し、表示方向を変更する。ステップａ５では、制御部３は、情報機器１の方向に基づいて、各部の状態を変更するように各部を制御し、ステップａ６に移る。制御部３は、各操作部１３に割当てられた入力情報を変更するように入力部１０を制御する。また制御部３は、各接続部１５に外部機器９が割当てられるように、通信部１１を制御する。また制御部３は、各音声出力部１８に出力される音声が割当てられるように、スピーカ１２を制御する。
【００４７】
ステップａ６では、制御部３は、情報機器１の情報、たとえば現在の情報機器１の方向、表示部２の表示方向および割当てられた各機能に基づく情報を、記憶部５に与え、ステップａ７に移る。記憶部５は、与えられる情報を記憶する。ステップａ７にて、一連の処理を終了する。
【００４８】
このように制御部３によって、情報機器１の各部が制御されるので、検出部４によって検出される情報機器１の方向に対応して、表示部２による画像の表示姿勢が選択されるとともに、情報機器１の方向に対応して入力部１０、通信部１１およびスピーカ１２が各機能を達成可能に操作部１３、接続部１５および音声出力部１８の役割を割当てるように制御される。
【００４９】
図３は、本発明の実施の一形態の情報機器１を示す正面図であって、第１配置位置に配置している状態を示す。情報機器１の筐体１９は、たとえば略平板状であって、厚み方向Ｚ一端面部に、表示部２、報知部７、入力部１０およびスピーカ１２を備える。表示部２は、筐体１９の厚み方向Ｚ一端面部であって、第１方向Ｘおよび第２方向Ｙの中間部に設けられる。第１方向Ｘは、厚み方向Ｚに略直交し、第２方向Ｙは、厚み方向Ｚおよび第２方向Ｙに略直交する。第１配置位置では、鉛直方向Ｇ下方と、第２方向Ｙ他方が略同一となるように、筐体１９が配置される。
【００５０】
スピーカ１２が有する各音声出力部１８は、表示部２の第１方向Ｘ両端部にそれぞれ設けられる。第１方向Ｘ一端部に設けられる第１音声出力部１８ａは、左側音声が出力され、第１方向Ｘ他端部に設けられる第２音声出力部１８ｂは、右側音声が出力される。
【００５１】
入力部１０が有する各操作部１３は、筐体１９の４つの角部２０にそれぞれ設けられる。筐体１９の第１角部２０ａを、第１方向Ｘ一端部であって第２方向Ｙ一端部とし、第２角部２０ｂを、第１方向Ｘ他端部であって第２方向Ｙ一端部とし、第３角部２０ｃを、第１方向Ｘ一端部であって第２方向Ｙ他端部とし、第４角部２０ｄを、第１方向Ｘ他端部であって第２方向Ｙ他端部とする。第１操作部１３ａは、第１角部２０ａに設けられ、操作されることによって入力される第１入力情報Ａが割当てられる。第２操作部１３ｂは、第２角部２０ｂに設けられ、操作されることによって入力される第２入力情報Ｂが割当てられる。第３操作部１３ｃは、第３角部２０ｃに設けられ、操作されることによって入力される第３入力情報Ｃが割当てられる。第４操作部１３ｄは、第４角部２０ｄに設けられ、操作されることによって入力される第４入力情報Ｄが割当てられる。
【００５２】
各役割表示部１４は、対応付けられる操作部１３に割当てられている入力情報を、表示形態によって表示する。役割表示部１４は、たとえば各操作部１３の表面部にＬＥＤおよび有機ＥＬ発光装置を設けることによって実現される。役割表示部１４は、たとえばＬＥＤおよび有機ＥＬ発光装置の色、色の配列および発光パターンを変化させることによって、表示形態を変化させる。
【００５３】
また通信部１１が備える各接続部１５は、筐体１９の第２方向Ｙ両端部にそれぞれ設けられる。第１接続部１５ａは、筐体１９の第２方向Ｙ一端部であって、第１方向Ｘ一端部に設けられる。第１接続部１５ａは、外部機器９であるＰＣ１６との通信を行うためのケーブル２１が接続され、ＰＣ１６から与えられる文字および画像などの画像情報が与えられる。表示部２は、与えられる画像情報を表示する。第２接続部１５ｂは、筐体１９の第２方向Ｙ他端部であって、第１方向Ｘ他端部に設けられる。第２接続部１５ｂは、入力装置１７であるポインティングデバイスが接続され、情報機器１の操作を可能としている。報知部７は、第２方向Ｙ一端部に設けられる。
【００５４】
図４は、情報機器１を示す正面図であって、第２配置位置に配置している状態を示す。第２配置位置は、鉛直方向Ｇ下方と、筐体１９の第１方向Ｘ他方が略同一となる配置位置である。換言すると、第２配置位置は、筐体１９は第１配置位置に対して、厚み方向Ｚに関して約９０度角変位させた配置位置である。図２で示したように、制御部３は、検出部４によって自動的に筐体１９の向きの変化を検出し、表示部２の表示方向を変更し、その表示部２の画面幅に適するよう、たとえば文章の改行位置を変えるなどして表示部２を制御する。
【００５５】
また制御部３は、第１配置位置では第１角部２０ａであって位置に、第３角部２０ｃが配置されるので、第３操作部１３ｃには、第１入力情報Ａが割当てられ、順次、第４操作部１３ｄには、第３入力情報Ｃが割当てられ、第１操作部１３ａには、第２入力情報Ｂが割当てられ、第２操作部１３ｂには、第４入力情報Ｄが割当てられるように入力部１０を制御する。また制御部３は、各操作部１３に割当てられる入力情報に対応して、役割表示部１４の表示形態を変更するように、入力部１０を制御する。
【００５６】
また各音声出力部１８は、第２配置位置では鉛直方向Ｇの両端部に配置されるので、左側音声および右側音声を混合した音声を出力するように、制御部３によって制御される。また制御部３は、入力装置１７の操作方向を表示方向に対応して変更するように入力装置１７によって与えられる入力情報を変更する。
【００５７】
図５は、情報機器１を示す正面図であって、第３配置位置に配置している状態を示す。第３配置位置は、鉛直方向Ｇ下方と、筐体１９の第２方向Ｙ一方が略同一となるような配置位置である。換言すると、第３配置位置は、筐体１９は第２配置位置に対して、厚み方向Ｚに関して約９０度角変位させた配置位置である。図２で示したように、制御部３は、検出部４によって自動的に筐体１９の向きの変化を検出し、表示部２の表示方向を変更し、その表示部２の画面幅に適するよう、たとえば文章の改行位置を変えるなどして表示部２を制御する。第３配置位置では、第１配置位置に対して水平方向に関して対称の画像が表示される。
【００５８】
また制御部３は、第２配置位置では第３角部２０ｃであって位置に、第４角部２０ｄが配置されるので、第４操作部１３ｄには、第１入力情報Ａが割当てられるように入力部１０を制御する。また制御部３は、第２操作部１３ｂには、第３入力情報Ｃが割当てられ、第３操作部１３ｃには、第２入力情報Ｂが割当てられ、第１操作部１３ａには、第４入力情報Ｄが割当てられるように入力部１０を制御する。
【００５９】
筐体１９の第１方向Ｘ一端部に設けられる第１音声出力部１８ａは、右側音声を出力するように制御部３によって制御される。また第１方向Ｘ他端部に設けられる第２音声出力部１８ｂは、左側音声を出力するように制御部３によって制御される。換言すると、筐体１９が第１配置位置に配置されている場合とは逆の音声が出力される。
【００６０】
また制御部３は、ＰＣ１６と通信するためのケーブル２１が接続されていた第１接続部１５ａに入力装置１７を接続できるように、通信部を制御する。また制御部３は、入力装置１７が接続されていた第２接続部１５ｂにＰＣ１６と通信するためのケーブル２１を接続し、各外部機器と通信できるように、通信部１１を制御する。たとえば各接続部１５に接続される外部機器に互換性があり、各接続部の割当てを変更しなくても外部機器９の変更が可能である場合がある。このような場合、制御部３は、情報機器１の構成情報を第１接続部１５ａに入力装置１７が接続され、第２接続部１５ｂにＰＣ１６が接続されることを前提とした情報に優先順位に更新する。また制御部３は、ポインティングデバイスの操作方向を表示方向に対応して変更するように入力装置１７によって与えられる入力情報を変更する。
【００６１】
このような本実施の形態の情報機器１では、検出部４によって選択される表示姿勢で画像を表示するように、表示部２が制御部３によって制御される。さらに前記選択される表示姿勢に対応させて機能を達成可能に、各役割分端部の役割を割当てるように、機能達成手段８が制御部３によって制御される。したがって選択される表示姿勢に対応させて、機能達成手段８が機能を達成することができる。これによって操作者は、選択した表示姿勢に対応させて、情報機器１の姿勢を変更することなく、機能達成手段８を違和感なく用いることができる。したがって従来の技術では表示姿勢に対応していない機能に関しても、対応することができる。これによって情報機器１の利便性が向上する。操作者が情報機器１を操作する場合、表示部２の表示形態を意識して操作をする負担を軽減することができる。これによって情報機器１の利便性が向上する。たとえば常に操作者から見て同様の状態で情報機器１を使用することができるように、各部に割当てられる機能を、表示方向に連動して自動的に入替えることができる。
【００６２】
また本実施の形態では、情報機器１に情報を入力するための入力装置１７を、接続解除可能に接続可能である。したがって入力装置１７は、選択される画像の表示姿勢に対応させて、入力装置１７の機能を達成するように、制御部３によって制御される。これによって操作者は、表示姿勢に応して入力装置１７を違和感なく操作することができる。したがって操作者は、表示姿勢を意識して、入力装置１７を操作する負担を軽減することができる。したがってポインティングデバイスのように操作方向がある入力装置１７であっても、操作者が操作方向を混乱することなく操作をすることができる。たとえば表示部２の表示方向が９０度角変位および、１８０度各変位されても、ポインティングデバイスの操作方向もそれに合わせて回転するので、操作者は表示方向の変更を意識せずにポインティングデバイスを操作することができる。
【００６３】
また本実施の形態では、入力部１０は、選択される表示姿勢に対応させて各操作部１３に入力情報が割当てられるように、制御部３によって制御される。したがって操作者は、表示姿勢を考慮して入力部１０を操作しなくてもよいので、入力部１０を違和感なく操作することができる。
【００６４】
また本実施の形態では、通信部１１は、選択される表示姿勢に対応させて、各接続部１５に接続対象の外部機器９が割当てられるように、制御部３によって制御される。したがって操作者は、選択される表示姿勢に対応して、外部機器９を接続して外部機器９を用いることができる。これによって操作者は、表示姿勢に対して違和感なく、外部機器９を接続することができる。したがって操作者が情報機器１を外部機器９と接続して用いる場合、物理的に使用の妨げとなるケーブル２１および赤外線端子のような指向性の強い無線装置を用いる場合であっても、情報機器１の配置を考慮する負担を軽減することができる。また本実施の形態のように、各接続部１５の接続対象のＰＣ１６と入力装置１７とを表示方向に対応して反転させることによって、第１配置位置と第３配置位置とで配置位置が異なっても、ケーブル２１が邪魔にならずに同様の感覚で情報機器１が用いることができ、操作者の負担を軽減することができる。
【００６５】
また制御部３は、情報機器１に外部機器９が接続部１５に接続されることによって、表示姿勢を選択するように情報機器１全体を制御してもよい。これによって操作者は、外部機器９を情報機器１に接続するたけで、表示姿勢が選択されるので、所望の表示姿勢で画像を表示することがき、利便性が向上する。
【００６６】
また本実施の形態では、スピーカ１２は、選択される表示姿勢に対応させて、各音声出力部１８に出力される音声が割当てられるように、制御部３によって制御される。したがって操作者は、選択される表示姿勢に対応して出力される音声を聞くことができる。これによって操作者は、表示姿勢に対応して違和感なく、出力される音声を聞くことができる。
【００６７】
また情報機器１は、たとえば無線通信によって与えられる動画を表示部２が表示する場合、操作者に対して情報機器１を変位させると、従来の技術では操作者に対する右音声と左音声とが逆に聞こえるように音声を出力している。本実施の形態では、情報機器１の操作者に対する姿勢によって、操作者が右音声と左音声とを違和感なく聞こえるように出力することができる。
【００６８】
また本実施の形態では、報知部７は、姿勢情報および割当て情報のうち少なくといずれか一方の情報を報知する。操作者は、姿勢情報が報知されることによって、表示姿勢を確認することができる。情報機器１を、どの方向からも使用できるように製造しても、たとえば電池の挿入口のように情報機器１の構成上、情報機器１の向きによる同一性を保てない部分をなくすことは困難である場合を考慮し、基本となる使用形態を報知する報知部７を備えることによって、操作者の利便性を向上することができる。また操作者は、割当て情報が報知されることによって、各役割分担部に割当てられる役割が変更しても、割当てられる役割を確認することができる。
【００６９】
また本実施の形態では、役割表示部１４は、対応付けられる操作部１３に割当てられている入力情報を、表示形態によって表示する。したがって選択される表示姿勢によって、各操作部１３に割当てられる入力情報が変更されても、操作者は割当てられる入力情報を確認することができ、操作性を向上することができる。
【００７０】
本実施の形態では、姿勢選択手段は、検出部４によって実現されるがこれに限ることはない。姿勢選択手段は、入力部１０によって実現し、操作者が入力部を操作されることによって、画像の表示姿勢を選択するように構成してもよい。また姿勢選択手段は、接続される外部機器９によって実現してもよい。
【００７１】
本実施の形態では、報知手段は、報知部７によって実現されるが、報知手段は、表示部２およびスピーカ１２を用いて実現してもよい。これによって報知部７を設ける必要がないので、情報機器１の構成を簡略化することができる。
【００７２】
本実施の形態にように、必ずしも全ての機能を表示形態に対応して変更しなくてもよい。たとえば情報機器１の構成および操作者の意図した設定を情報機器１に施すことによって、表示形態に応じて操作部１３の機能の割当ては変更されても、音声出力部１８に割当てられる音声は変更しないように、制御部３によって制御してもよい。これによって利便性を向上することができる。
【図面の簡単な説明】
【００７３】
【図１】本発明の実施の一形態である情報機器１の電気的構成を示すブロック図である。
【図２】制御部３の処理手順を示すフローチャートである。
【図３】情報機器１を示す正面図であって、第１配置位置に配置している状態を示す。
【図４】情報機器１を示す正面図であって、第２配置位置に配置している状態を示す。
【図５】情報機器１を示す正面図であって、第３配置位置に配置している状態を示す。
【符号の説明】
【００７４】
１  情報機器
２  表示部
３  制御部
４  検出部
７  報知部
８  機能達成手段
９  外部機器
１０  入力部
１１  通信部
１２  スピーカ
１３  操作部
１４  役割表示部
１５  接続部
１７  入力装置
１８  音声出力部
【図１】
2005284923.tif 000003
【図２】
2005284923.tif 000004
【図３】
2005284923.tif 000005
【図４】
2005284923.tif 000006
【図５】
2005284923.tif 000007